(57)【特許請求の範囲】
【請求項１】
通信回線を介して画像データの通信を行なうファクシミリ通信機能以外に少なくとも画像データを記録紙に記録するプリント機能を備えた複合機において、
ファクシミリ通信状態およびプリント状態を表示する単一の動作状態表示手段と、ファクシミリ通信状態およびプリント状態の何れか一方の動作時に前記動作状態表示手段を点灯するとともにファクシミリ通信状態およびプリント状態の何れか他方の動作時に前記動作状態表示手段を点滅する表示制御手段とを備え、
前記表示制御手段は、ファクシミリ通信状態およびプリント状態の判別を行う際に、ファクシミリ通信状態の判別を、プリント状態の判別に優先して行い、ファクシミリ通信状態にあるときの動作状態表示手段の点灯動作または点滅動作をプリント状態に優先して行なうことを特徴とする複合機。
【請求項２】
本複合機にエラーが発生したときのメッセージを表示するエラー表示手段を有し、
前記表示制御手段は、本複合機にエラーが発生したときに前記エラー表示手段にメッセージの表示を行なうとともに、本複合機が省エネモードに移行したのと同時にメッセージの表示を停止することを特徴とする請求項１記載の複合機。
【請求項３】
前記表示制御手段は、本複合機に発生するエラーの重要度を判別し、本複合機が省エネモードに移行したときにエラーの重要度に応じてエラー表示を継続することを特徴とする請求項２記載の複合機。
【請求項４】
ファクシミリ通信状態およびプリント状態の何れか一方の動作時に点灯するとともにファクシミリ通信状態およびプリント状態の何れか他方の動作時に点滅する単一の動作状態表示手段を表示する表示方法であって、
プリント状態であるか否かを判別する前に、ファクシミリ通信状態であるか否かを優先して判別し、ファクシミリ通信状態にあるときの前記動作状態表示手段の点灯動作または点滅動作をプリント状態の点滅動作または点灯動作に優先して行なうことを特徴とする表示方法。
【発明の詳細な説明】
【０００１】
【発明の属する技術分野】
本発明は、ファクシミリ通信機能以外に少なくともプリント機能を備えた複合機に関し、プリント時とファクシミリ通信時の表示方法を工夫することにより、単一の表示部でプリント時とファクシミリ通信時の状態を判断することができる複合機および表示方法に関する。
【０００２】
【従来の技術】
一般に、ファクシミリ通信機能以外にプリンタ機能、コピー機能等を備えた複合機にあっては、この複合機がプリント状態にあるのかファクシミリ通信状態であるのかをＬＥＤ等の状態表示部で外部から容易に視認できる上に、記録紙のジャム等があった場合のエラーメッセージをＬＥＤ等のエラー表示部で外部から容易に視認できるようになっており、このような複合機では、ファクシミリ通信状態およびプリント状態の表示とエラー表示とを２つのＬＥＤで表示することによって低コスト化を図るようにしている。
【０００３】
【発明が解決しようとする課題】
しかしながら、このような従来の複合機にあっては、単一のＬＥＤでファクシミリ通信状態およびプリント状態を表示しているため、ファクシミリ通信状態およびプリント状態の区別を簡単に行なうことができずに不便であった。
【０００４】
また、プリント作業を長時間に亘って行なっている際に、ファクシミリ通信があったことを表示する構成となっていなかったため、ファクシミリ通信があったことを把握することができないという問題があった。
【０００５】
また、キー操作やファクシミリ通信動作を長期に亘って行なわないときに省エネモードに移行する複合機にあっては、省エネモードに移行する前にエラー表示がなされた場合に、省エネモード時でもエラー表示が継続してしまうため、ユーザに不快感を与えてしまうという問題があった。
【０００６】
そこで本発明は、単一の動作状態表示手段によってファクシミリ通信状態およびプリント状態を区別して表示することができるようにして、ファクシミリ通信状態およびプリント状態の区別を簡単に行なうことができる使用性の高い複合機および表示方法を提供することを目的としている。
【００１０】
【課題を解決するための手段】
本発明は、上記課題を解決するために、通信回線を介して画像データの通信を行なうファクシミリ通信機能以外に少なくとも画像データを記録紙に記録するプリント機能を備えた複合機において、ファクシミリ通信状態およびプリント状態を表示する単一の動作状態表示手段と、ファクシミリ通信状態およびプリント状態の何れか一方の動作時に前記動作状態表示手段を点灯するとともにファクシミリ通信状態およびプリント状態の何れか他方の動作時に前記動作状態表示手段を点滅する表示制御手段とを備え、前記表示制御手段は、ファクシミリ通信状態およびプリント状態の判別を行う際に、ファクシミリ通信状態の判別を、プリント状態の判別に優先して行い、ファクシミリ通信状態にあるときの動作状態表示手段の点灯動作または点滅動作をプリント状態に優先して行なうファクシミリ通信状態およびプリント状態の判別を行う際に、ファクシミリ通信状態の判別を、プリント状態の判別に優先して行うことを特徴としている。
【００１１】
その場合、単一の動作状態表示手段によってファクシミリ通信状態およびプリント状態を区別して表示することができるため、ファクシミリ通信状態およびプリント状態の区別を簡単に行なうことができ、複合機の使用性を向上させることができる。
【００１３】
また、プリント状態にあるときにファクシミリ通信が行なわれたことを表示することができるため、ファクシミリ通信があったことをユーザに確実に知らせることができ、複合機の使用性をより一層向上させることができる。
【００１４】
本発明は、上記課題を解決するために、本複合機にエラーが発生したときのメッセージを表示するエラー表示手段を有し、前記表示制御手段は、本複合機にエラーが発生したときに前記エラー表示手段にメッセージの表示を行なうとともに、本複合機が省エネモードに移行したのと同時にメッセージの表示を停止することを特徴としている。
【００１５】
その場合、省エネモードに移行する前にエラー表示が行なわれた場合であっても、省エネモード時にエラー表示を自動的に停止することができるため、ユーザに不快感を与えるのを防止することができる。
【００１６】
本発明は、上記課題を解決するために、前記表示制御手段は、本複合機に発生するエラーの重要度を判別し、本複合機が省エネモードに移行したときにエラーの重要度に応じてエラー表示を継続することを特徴としている。
【００１７】
その場合、省エネモード時に優先度の高いエラー（例えば、ヒータが動作しない等の重要なエラー）の表示を継続することができるため、緊急を有する修理等があることをユーザに確実に知らせることができる。
さらに、本発明による表示方法は、ファクシミリ通信状態およびプリント状態の何れか一方の動作時に点灯するとともにファクシミリ通信状態およびプリント状態の何れか他方の動作時に点滅する単一の動作状態表示手段を表示する表示方法であって、プリント状態であるか否かを判別する前に、ファクシミリ通信状態であるか否かを優先して判別し、ファクシミリ通信状態にあるときの前記動作状態表示手段の点灯動作または点滅動作をプリント状態の点滅動作または点灯動作に優先して行なう。
その場合、単一の動作状態表示手段によってファクシミリ通信状態およびプリント状態を区別して表示することができるため、ファクシミリ通信状態およびプリント状態の区別を簡単に行なうことができ、複合機の使用性を向上させることができる。
また、プリント状態にあるときにファクシミリ通信が行なわれたことを表示することができるため、ファクシミリ通信があったことをユーザに確実に知らせることができ、複合機の使用性をより一層向上させることができる。
【００１８】
【発明の実施の形態】
以下、本発明の実施形態を図面に基づいて説明する。
【００１９】
図１〜３は本発明に係る複合機の一実施形態を示す図であり、本実施形態では、複合機としてプリント機能を有するファクシミリ装置を例にして説明する。
【００２０】
まず、構成を説明する。図１において、１はファクシミリ装置であり、このファクシミリ装置１はスキャナ部２、プロッタ部３、ＣＰＵ（Central Processing Unit)４、ＲＯＭ（Read Only Memory)５、ＲＡＭ（Random Access Memory)６、ＤＣＲ部（Data Compression and Reconstraction）７、操作部８、網制御部９、操作表示ランプ（動作状態表示手段）10、エラー表示ランプ（エラー表示手段）11から構成され、各部材２〜11はシステムバス12によって接続されている。
【００２１】
スキャナ部２は、ＣＣＤ（Charge Coupled Device）等を利用したイメージスキャナが利用されており、スキャナ２は、ＣＰＵ４からの指令によって原稿を走査して原稿の画像データを所定の解像度で読み取るようになっている。
【００２２】
プロッタ部３は、サーマル素子を利用したサーマル記録装置や感光体ドラムやトナー等を使用した電子写真方式の記録装置等が使用されており、プロッタ部３は受信した画像データを記録紙に直接、あるいは、普通記録紙にインクシートを介して間接的に記録するようになっている。
【００２３】
ＣＰＵ４は、ファクシミリ装置１全体を制御するものであり、少なくともプリント機能を備えたファクシミリ装置１としてのシーケンスを行なうとともに、本発明による表示制御を実行するようになっている。
【００２４】
ＲＯＭ５はファクシミリ装置１のシステムを動作させるためのプログラムが格納されており、このプログラムはＣＰＵ４によって実行される。
【００２５】
ＲＡＭ６は、ＣＰＵ４のワークエリアを構成し、ファクシミリ装置１で使用する各種データを一時的に記憶するようになっている。
【００２６】
ＤＣＲ部７は、画情報の伝送時間の短縮化と効率化を図るものであり、送信時には画情報を圧縮（符号化）し、また、受信時には符号化された画情報を原情報に再生（復号化）するようになっている。
【００２７】
操作部８は、ファクシミリ装置１を操作してファクシミリ通信を行なうため等のスタートキー、テンキー、矢印キー、キャンセルキー、ＯＫキー等が設けられており、操作部のキー操作により、送受信命令等の各種命令を入力するようになっている。
【００２８】
網制御部９は、モデムを内蔵しており、公衆回線（通信回線）Ｌに対して呼の接続・切断を行なうようになっているとともに、他機ファクシミリ装置との間で通信プロトコルを実行して画像データのやりとりを行なうようになっている。また、網制御部９はＬＡＮ（Local Area Network）に接続され、ＰＣ（パーソナル・コンピュータ）との間で信号のやりとりを行なうようになっている。なお、ＣＰＵ４は網制御部９を介してＰＣからの指令を受けた場合に、プロッタ部３を制御してＰＣから受信した画像データをプリントするようになっている。
【００２９】
また、動作表示ランプ10はＬＥＤ等から構成されており、ＣＰＵ４からの指令に基づいてファクシミリ通信状態およびプリント状態を表示するようになっている。ＣＰＵ４はファクシミリ通信状態の場合に動作表示ランプ10を点灯させるとともにプリント状態の場合に動作表示ランプ10を点滅させるようになっており、表示制御手段を構成している。また、ＣＰＵ４はファクシミリ通信状態にあるときの動作表示ランプ10の点灯動作をプリント状態に優先して行なうようになっている。
【００３０】
また、エラー表示ランプ11はＬＥＤ等から構成されており、ファクシミリ装置１にエラーが発生したとき、例えば、ヒータ等の装置が動作しないときのエラー発生時にこの旨のメッセージを表示するようになっている。
【００３１】
ＣＰＵ４はファクシミリ装置１にエラーが発生したときにエラー表示ランプ11に直ちにメッセージの表示を行なうようになっており、ファクシミリ装置１が省エネモード（キー操作やファクシミリ通信動作を長期に亘って行なわないときに自動的に作動する）に移行したのと同時にエラー表示ランプ11のメッセージの表示を停止するようになっている。
【００３２】
また、ＲＡＭ６にはファクシミリ装置１に発生する各種エラーの重要であるものと重要でないものが記憶されており、このエラーはその種類に重要、重要でないを示すエラーコードが採番された状態でテーブルに格納されている。
【００３３】
ＣＰＵ４は図示しない各種センサからの検出状態に基づいてＲＡＭ６に格納されたエラーの種類と重要度を判別して、この判別結果に応じて省エネモード時のエラー表示ランプ11の点灯または消灯制御を行なうようになっている。本実施形態ではＲＡＭ６も表示制御手段を構成している。
【００３４】
なお、エラーの重要度はＲＡＭ６に格納された重要度に応じて判断するのではなく、プログラム上に予め記憶しておいても良い。
【００３５】
次に、動作表示ランプ10およびエラー表示ランプ11の表示方法を図２、３のフローチャートに基づいて説明する。なお、図２、３に示すフローチャートはＣＰＵ４によって実行されるＲＯＭ５に格納されるプログラムである。
【００３６】
図２において、ファクシミリ通信中であるか否かを判別し（ステップＳ1）、ファクシミリ通信中である場合には、動作表示ランプ10を点灯させる（ステップＳ2）。また、ステップＳ2でファクシミリ通信中でない場合には、動作表示ランプ10の表示をしない（ステップＳ3）。
【００３７】
次いで、ＰＣからの画像データを受信してプリンタ動作を行なっているか否かを判別し（ステップＳ4）、プリント動作を行なっている場合には、動作表示ランプ10を点滅させる（ステップＳ5）。また、プリント動作中でない場合には、動作表示ランプ10の表示をしない（ステップＳ6）。
【００３８】
このように本実施形態では、ファクシミリ通信状態にあるときに動作表示ランプ10を点灯するとともにプリント状態にあるときに動作表示ランプ10を点滅させるようにしたため、単一の動作表示ランプ10によってファクシミリ通信状態およびプリント状態を区別して表示することができる。このため、ファクシミリ通信状態およびプリント状態の区別を簡単に行なうことができ、複合機の使用性を向上させることができる。
【００３９】
また、図２のフローチャートで示すようにプリント動作であるか否かを判別する前にファクシミリ通信中であるか否かを優先して判別しているため、プリント状態にあるときにファクシミリ通信が行なわれたことを動作表示ランプ10で確実に表示することができる。このため、ファクシミリ通信があったことをユーザに確実に知らせることができ、ファクシミリ装置の使用性をより一層向上させることができる。
【００４０】
一方、図３において、ファクシミリ装置１に何等かのエラーが発生したか否かを判別し（ステップＳ11）、エラーがない場合には、エラー表示ランプ11を表示しない（ステップＳ12）。
【００４１】
また、ステップＳ11でエラーが発生した場合には、ＲＡＭ６に格納されたデータに基づいてエラーの重要度を判別し（ステップＳ13）、ヒータが動作しない等の重要なエラーの場合にはエラー表示ランプ11でその旨を表示する（ステップＳ14）。
【００４２】
次いで、ステップＳ13で重要でないエラーが発生した場合には、省エネモードであるか否かを判別し（ステップＳ15）、重要でないエラーの発生時に省エネモードでない場合には、エラー表示ランプ11でその旨を表示する（ステップＳ16）。
【００４３】
一方、重要でないエラーの場合にステップＳ15で省エネモードであるものと判断した場合に、エラー表示ランプ11の表示を行なわない（ステップＳ17）。
【００４４】
このように本実施形態では、ファクシミリ装置１にエラーが発生したときにエラー表示ランプ11にメッセージの表示を行なうとともに、ファクシミリ装置１が省エネモードに移行したのと同時にメッセージの表示を停止するようになっているため、省エネモードに移行する前にエラー表示ランプ11でエラー表示が行なわれた場合であっても、省エネモード時にエラー表示を自動的に停止することができ、ユーザに不快感を与えるのを防止することができる。
【００４５】
また、ファクシミリ装置１に発生するエラーの重要度を判別し、ファクシミリ装置１が省エネモードに移行したときにエラーの重要度に応じてエラー表示を継続しているため、省エネモード時に優先度の高いエラーの表示を継続することができる（図３のステップＳ3〜Ｓ4）ため、緊急を要する修理等があることをユーザに確実に知らせることができる。
【００４６】
なお、本実施形態では、ファクシミリ通信状態の場合に動作表示ランプ10を点灯させるとともにプリント状態の場合に動作表示ランプ10を点滅させるようになっているが、ファクシミリ通信状態の場合に動作表示ランプ10を点滅させるとともにプリント状態の場合に動作表示ランプ10を点灯させるようにしても良い。
【００４７】
また、本実施形態の複合機は、ファクシミリ通信機能とプリンタ通信機能を備えたものを説明しているが、これに限らず、コピー機能等を備えたものであっても良く、動作表示ランプ10の点灯および点滅制御をファクシミリ通信時とコピー時に分けるようにしても良い。
【００４８】
【発明の効果】
本発明によれば、単一の動作状態表示手段によってファクシミリ通信状態およびプリント状態を区別して表示することができるため、ファクシミリ通信状態およびプリント状態の区別を簡単に行なうことができ、複合機の使用性を向上させることができる。
また、プリント状態にあるときにファクシミリ通信が行なわれたことを表示することができるため、ファクシミリ通信があったことをユーザに確実に知らせることができ、複合機の使用性をより一層向上させることができる。
【００５０】
本発明によれば、省エネモードに移行する前にエラー表示が行なわれた場合であっても、省エネモード時にエラー表示を自動的に停止することができるため、ユーザに不快感を与えるのを防止することができる。
【００５１】
本発明によれば、省エネモード時に優先度の高いエラー（例えば、ヒータが動作しない等の重要なエラー）の表示を継続することができるため、緊急を要する修理等があることをユーザに確実に知らせることができる。
【図面の簡単な説明】
【図１】本発明に係る複合機としてのファクシミリ装置の一実施形態を示す図であり、そのファクシミリ装置のブロック図である。
【図２】一実施形態の動作表示ランプの表示方法を示すフローチャートである。
【図３】一実施形態のエラー表示ランプの表示方法を示すフローチャートである。
【符号の説明】
１    ファクシミリ装置（複合装置）
４    ＣＰＵ（表示制御手段）
６    ＲＡＭ（表示制御手段）
10    動作表示ランプ（動作状態表示手段）
11    エラー表示ランプ（エラー表示手段）
【図１】
0003895079.tif 000002
【図２】
0003895079.tif 000003
【図３】
0003895079.tif 000004